(57)【要約】【課題】原稿の置き忘れを確実にユーザーに気付かせる。【解決手段】報知システムは、画像形成装置と、モバイル端末と、車載装置と、を備え、画像形成装置は、実行要求元ユーザーが所有するモバイル端末のアドレスを認識し、ジョブの完了から、読み取った原稿が回収されることなく、所定時間が経過したとき、置き忘れ通知を実行要求元ユーザーのモバイル端末へ送信し、実行要求元のモバイル端末は、置き忘れ通知を受信した場合、車載装置との通信が可能となったときに、車載装置へ報知命令を送信し、車載装置は、報知命令を受信すると、画像形成装置に原稿を置き忘れている旨を報知する。【選択図】図１
2017038267.tif 000002
【特許請求の範囲】
【請求項１】
原稿の読み取りを伴うジョブを実行する画像形成装置と、
前記ジョブの実行要求元となり得るユーザーにより所有され、前記画像形成装置と通信するモバイル端末と、
前記ジョブの実行要求元となり得るユーザーの車両に搭載され、前記モバイル端末との通信が可能な車載装置と、を備え、
前記画像形成装置は、前記ジョブの実行を要求した実行要求元ユーザーが所有する前記モバイル端末のアドレスを認識し、前記実行要求元ユーザーが実行要求した前記ジョブの完了から、読み取った原稿が回収されることなく、所定時間が経過したとき、原稿の置き忘れが発生していることを示す置き忘れ通知を前記実行要求元ユーザーのモバイル端末へ送信し、
前記実行要求元のモバイル端末は、前記置き忘れ通知を受信した場合、前記車載装置との通信が可能となったときに、前記車載装置へ報知命令を送信し、
前記車載装置は、前記報知命令を受信すると、前記画像形成装置に原稿を置き忘れている旨を報知することを特徴とする報知システム。
【請求項２】
前記画像形成装置は、読み取った原稿に個人情報が含まれているか否かの判断を行うよう構成されており、前記置き忘れ通知を前記実行要求元ユーザーのモバイル端末へ送信するとき、前記判断の結果を示す判断結果情報を前記置き忘れ通知に付加し、
前記実行要求元ユーザーのモバイル端末は、前記車載装置へ前記報知命令を送信するとき、前記判断結果情報を前記報知命令に付加し、
前記車載装置は、前記報知命令を受信すると、前記判断結果情報を確認し、読み取った原稿に前記個人情報が含まれている場合と含まれていない場合とで、前記画像形成装置に原稿を置き忘れている旨を報知するときの報知形態を異ならせることを特徴とする請求項１に記載の報知システム。
【請求項３】
前記車載装置は、前記画像形成装置に原稿を置き忘れている旨を報知するための報知画像を表示する表示部を備え、
前記表示部は、読み取った原稿に前記個人情報が含まれている場合と含まれていない場合とで、前記報知画像を異ならせることを特徴とする請求項２に記載の報知システム。
【請求項４】
前記車載装置は、前記画像形成装置に原稿を置き忘れている旨を報知するための警告音を出力する音出力部を備え、
前記音出力部は、読み取った原稿に前記個人情報が含まれている場合と含まれていない場合とで、前記警告音を異ならせることを特徴とする請求項２または３に記載の報知システム。
【請求項５】
前記画像形成装置は、カード原稿を読み取るカードスキャンモードを搭載しており、前記カードスキャンモードで原稿を読み取った場合に、読み取った原稿に前記個人情報が含まれていると判断することを特徴とする請求項２〜４のいずれか１項に記載の報知システム。
【請求項６】
前記画像形成装置は、読み取った原稿の画像データに含まれる文字列を認識する文字認識部を備え、前記文字認識部が予め定められた文字列と同じ文字列を認識した場合に、読み取った原稿に前記個人情報が含まれていると判断することを特徴とする請求項２〜４のいずれか１項に記載の報知システム。
【発明の詳細な説明】
【技術分野】
【０００１】
本発明は、原稿の置き忘れを報知する報知システムに関する。
【背景技術】
【０００２】
従来、原稿の読み取りを伴うジョブの実行が可能な画像形成装置が知られている。このような画像形成装置は、ユーザーによりセットされた原稿を読み取る。
【０００３】
ここで、ユーザーによっては、原稿の読み取りを伴うジョブの完了後、画像形成装置に原稿を置き忘れる場合がある。このため、従来では、原稿の読み取りを伴うジョブの完了後、原稿の置き忘れが発生しているか否を検知し、原稿の置き忘れが発生していれば、原稿を置き忘れている旨を電子メールにてユーザーへ通知するよう構成された画像形成装置が提案されている（たとえば、特許文献１参照）。
【先行技術文献】
【特許文献】
【０００４】
【特許文献１】特開２００４−１７３１６９号公報
【発明の概要】
【発明が解決しようとする課題】
【０００５】
近年では、コンビニエンスストアやスーパーマーケットなどの商業施設に画像形成装置が設置されることが多い。このような商業施設に設置された画像形成装置を使用したユーザーが画像形成装置に原稿を置き忘れた場合、商業施設内で原稿の置き忘れに気付けば、画像形成装置に置き忘れた原稿を回収するのにそれほど手間はかからない。
【０００６】
しかし、ユーザーによっては、原稿の置き忘れに気付かず、そのまま商業施設から自動車などに乗って立ち去ってしまうことがある。仮に、特許文献１のように、画像形成装置に原稿を置き忘れている旨を電子メールにてユーザーへ通知しても、その電子メールをユーザーが確認しなければ、ユーザーは原稿の置き忘れに気付かないので、画像形成装置に置き忘れた原稿を回収せずにそのまま商業施設から立ち去ってしまう。このような場合、画像形成装置に置き忘れた原稿を回収するためには、商業施設まで戻らなければならないので、ユーザーにとっては煩わしく利便性が悪い。
【０００７】
本発明は、上記課題を解決するためになされたものであり、ユーザーが画像形成装置に原稿を置き忘れた場合に、原稿の置き忘れを確実にユーザーに気付かせることが可能な報知システムを提供することを目的とする。
【課題を解決するための手段】
【０００８】
上記目的を達成するため、本発明の報知システムは、原稿の読み取りを伴うジョブを実行する画像形成装置と、ジョブの実行要求元となり得るユーザーにより所有され、画像形成装置と通信するモバイル端末と、ジョブの実行要求元となり得るユーザーの車両に搭載され、モバイル端末との通信が可能な車載装置と、を備える。画像形成装置は、ジョブの実行を要求した実行要求元ユーザーが所有するモバイル端末のアドレスを認識し、実行要求元ユーザーが実行要求したジョブの完了から、読み取った原稿が回収されることなく、所定時間が経過したとき、原稿の置き忘れが発生していることを示す置き忘れ通知を実行要求元ユーザーのモバイル端末へ送信する。実行要求元のモバイル端末は、置き忘れ通知を受信した場合、車載装置との通信が可能となったときに、車載装置へ報知命令を送信する。車載装置は、報知命令を受信すると、画像形成装置に原稿を置き忘れている旨を報知する。
【０００９】
本発明の構成では、実行要求元ユーザーが画像形成装置に原稿を置き忘れた場合、実行要求元ユーザーが所有するモバイル端末と車載装置とが通信可能になると、実行要求元ユーザーのモバイル端末から車載装置へ報知命令が送信される。そして、車載装置から実行要求元ユーザーに対して、画像形成装置に原稿を置き忘れている旨の報知がなされる。これにより、コンビニエンスストアやスーパーマーケットなどの商業施設に設置された画像形成装置に原稿を置き忘れても、実行要求元ユーザーが車両を使って商業施設から立ち去る前に、確実に、画像形成装置に原稿を置き忘れていることを実行要求元ユーザーに気付かせることができる。これにより、画像形成装置に置き忘れた原稿を回収するのにあたって商業施設まで戻らなければならない、という不都合が発生するのを抑制することができるので、実行要求元ユーザーの利便性が向上する。
【００１０】
また、実行要求元ユーザーが商業施設から立ち去る前に原稿の置き忘れを実行要求元ユーザーに気付かせることができれば、画像形成装置に置き忘れた原稿が長時間にわたって放置されるのを抑制することができる。これにより、画像形成装置に置き忘れた原稿を第３者に見られてしまうのを抑制することができるので、情報漏洩の危険性が低減する。
【発明の効果】
【００１１】
以上のように、本発明では、ユーザーが画像形成装置に原稿を置き忘れた場合に、原稿の置き忘れを確実にユーザーに気付かせることができる。
【図面の簡単な説明】
【００１２】
【図１】本発明の一実施形態による報知システムの概略図
【図２】本発明の一実施形態による報知システムに含まれる複合機の構成を示す図
【図３】本発明の一実施形態による報知システムに含まれる複合機の原稿搬送ユニットの開閉状態を検知するための開閉検知センサーの構成を示す図
【図４】本発明の一実施形態による報知システムに含まれる各装置のハードウェア構成を示す図
【図５】本発明の一実施形態による報知システムにおいて複合機からモバイル端末へ置き忘れ通知を送信するときの処理の流れについて説明するためのフローチャート
【図６】本発明の一実施形態による報知システムにおいてモバイル端末からカーナビゲーション装置へ報知命令を送信するときの処理の流れについて説明するためのフローチャート
【図７】本発明の一実施形態による報知システムに含まれる複合機が表示する報知画面を示す図
【図８】本発明の一実施形態による報知システムに含まれる複合機が表示する報知画面を示す図
【発明を実施するための形態】
【００１３】
＜報知システムの全体構成＞
図１に示すように、本実施形態の報知システムＳは、複合機１００と、モバイル端末２００と、カーナビゲーション装置３００とによって構成される。複合機１００は「画像形成装置」に相当し、カーナビゲーション装置３００は「車載装置」に相当する。
【００１４】
複合機１００は、原稿の読み取りを伴うジョブ（スキャンジョブやコピージョブ）の実行が可能な画像形成装置である。この複合機１００は、たとえば、コンビニエンスストアやスーパーマーケットなどの商業施設に設置される。そして、当該商業施設では、複合機１００による印刷サービスを提供する。
【００１５】
モバイル端末２００は、携帯電話やスマートフォン、タブレット型端末などの携帯情報端末である。たとえば、モバイル端末２００は、複合機１００を使用するユーザー（ジョブの実行要求元となり得るユーザー）により所有される。モバイル端末２００は、複合機１００との間で通信を行うことができる。
【００１６】
カーナビゲーション装置３００は、たとえば、複合機１００を使用するユーザー（ジョブの実行要求元となり得るユーザー）の車両３０００に搭載される。カーナビゲーション装置３００は、モバイル端末２００との間で通信を行うことができる。
【００１７】
たとえば、複合機１００を用いてコピーやスキャンを行ったユーザー（実行要求元ユーザー）が複合機１００に原稿を置き忘れた場合、実行要求元ユーザーのモバイル端末２００は、複合機１００から、置き忘れ通知を受信する。そして、実行要求元ユーザーのモバイル端末２００は、複合機１００に原稿を置き忘れている旨を報知させるための報知命令をカーナビゲーション装置３００へ送信する。すなわち、複合機１００に原稿を置き忘れた場合には、カーナビゲーション装置３００から実行要求元ユーザーに対して、複合機１００に原稿を置き忘れている旨の報知がなされる。なお、詳細は後述する。
【００１８】
＜報知システムを構成する各装置の構成＞
まず、図２〜図４を参照し、複合機１００の構成について説明する。
【００１９】
複合機１００は、図２に示すように、画像読取部１を備える。この画像読取部１は、原稿搬送ユニット２を含む。
【００２０】
画像読取部１は、載置読取用のコンタクトガラス１ａおよび搬送読取用のコンタクトガラス１ｂが嵌め込まれた読取台１０を有する。そして、画像読取部１は、コンタクトガラス１ａ上に載置された原稿を読み取る載置読取、および、コンタクトガラス１ｂ上を通過する原稿を読み取る搬送読取を行う。なお、搬送読取では、コンタクトガラス１ｂ上への原稿の搬送を原稿搬送ユニット２が行う。
【００２１】
また、画像読取部１は、光源１２、イメージセンサー１３、ミラー１４およびレンズ１５を含み、原稿を光学的に読み取る。これら画像読取部１を成す各部材は、画像読取部１の読取台１０の内部に配置される。
【００２２】
光源１２は、複数のＬＥＤ素子を有し、原稿に照射する光を生成する。複数のＬＥＤ素子は、主走査方向にライン状に配列される。そして、光源１２は、載置読取時には、コンタクトガラス１ａに向けて光を照射する（コンタクトガラス１ａを透過した光が原稿を照射する）。その一方、光源１２は、搬送読取時には、コンタクトガラス１ｂに向けて光を照射する（コンタクトガラス１ｂを透過した光が原稿を照射する）。原稿で反射された反射光は、ミラー１４で反射され、レンズ１５に導かれる。レンズ１５は、反射光を集光する。
【００２３】
イメージセンサー１３は、原稿で反射された反射光（レンズ１５で集光された光）を受光することにより原稿をライン単位で読み取る。このイメージセンサー１３は、主走査方向にライン状に並ぶ複数の光電変換素子を有するＣＣＤからなり、反射光を受光すると、ライン単位で画素毎に光電変換して電荷を蓄積する。そして、イメージセンサー１３は、蓄積電荷に応じたアナログ信号を出力する。すなわち、イメージセンサー１３の画素毎のアナログ出力は、反射光の光量に応じて変化する。
【００２４】
また、光源１２およびミラー１４は、主走査方向と直交する副走査方向に移動可能な移動枠１６に取り付けられる。移動枠１６は、ワイヤー１７の一端に連結される。このワイヤー１７の他端は、巻取ドラム１８に連結される。これにより、巻取ドラム１８が回転することによって移動枠１６が副走査方向に移動する。すなわち、光源１２が副走査方向に移動する（読取位置が移動する）。
【００２５】
載置読取時には、光源１２は、装置正面から見て左から右に向かう方向に移動する。そして、光源１２は、副走査方向に移動している最中に、コンタクトガラス１ａ上に載置された原稿に光を照射する。このとき、イメージセンサー１３は、原稿で反射された反射光の光電変換を連続して繰り返し行う。これにより、原稿の読み取りがライン単位で行われる。なお、搬送読取時には、光源１２は、コンタクトガラス１ｂの下方で静止し、コンタクトガラス１ｂ上を通過する原稿に光を照射する。
【００２６】
ここで、図３に示すように、原稿搬送ユニット２は、読取台１０に対して開閉可能（回動可能）に取り付けられる。具体的には、読取台１０の本体背面側に回転軸１０ａが設けられ、その回転軸１０ａを支点として原稿搬送ユニット２が開閉可能となっている。これにより、原稿搬送ユニット２が閉じられると、原稿搬送ユニット２とコンタクトガラス１ａとが重なり、コンタクトガラス１ａが原稿搬送ユニット２によって完全に覆われる。なお、載置読取では、原稿搬送ユニット２を開けてコンタクトガラス１ａ上に原稿を載置した後、原稿搬送ユニット２を閉じることによって原稿を押えるようマニュアル化されている。
【００２７】
この原稿搬送ユニット２の開閉状態（傾倒角度）を検知するため、読取台１０には開閉検知センサーＤＳ１が設けられる。また、読取台１０には、開閉検知センサーＤＳ１の検知対象となる検知片ＤＰが設けられる。
【００２８】
検知片ＤＰは、原稿搬送ユニット２が開状態から閉じられていき、それによって原稿搬送ユニット２の傾きが所定角度よりも小さくなると、原稿搬送ユニット２により押圧されて下方に移動し、開閉検知センサーＤＳ１の検知領域（発光部と受光部との間の光路）を遮断する。一方で、検知片ＤＰは、原稿搬送ユニット２が閉状態から開けられていき、それによって原稿搬送ユニット１の傾きが所定角度以上になると、原稿搬送ユニット２による押圧が解除されることで上方に移動し、開閉検知センサーＤＳ１の検知領域（発光部と受光部との間の光路）を解放する。これにより、開閉検知センサーＤＳ１の出力値は、原稿搬送ユニット２の開閉状態に応じて変化する。
【００２９】
図２に戻って、原稿搬送ユニット２は、原稿セットトレイ２１、原稿排出トレイ２２、給紙ローラー２３および搬送ローラー対２４を含む。また、原稿搬送ユニット２には、原稿セットトレイ２１からコンタクトガラス１ｂ上の所定位置（搬送読取時の読取位置）を経由して原稿排出トレイ２２に至る原稿搬送路２０が設けられる。
【００３０】
原稿セットトレイ２１上には読み取り前の原稿が載置され、原稿排出トレイ２２上には読み取り後の原稿が排出される。給紙ローラー２３は、原稿搬送路２０の最も上流側に配置される。搬送ローラー対２４は、原稿搬送路２０に沿って複数配置される。
【００３１】
そして、搬送読取では、原稿セットトレイ２１上に載置された原稿が原稿搬送路２０に供給され、原稿搬送路２０に沿って搬送される。原稿搬送路２０に沿って搬送される原稿は、コンタクトガラス１ｂ上の所定位置（搬送読取時の読取位置）を通過する。そして、このとき、画像読取部１による原稿の読み取りが行われる。
【００３２】
画像読取部１による読み取りが終わった原稿は、原稿搬送路２０に沿って搬送され、最終的に原稿排出トレイ２２上に排出される。ここで、原稿排出トレイ２２上に排出された原稿が回収されずにそのまま残っているか否かを検知するため、原稿排出トレイ２２には原稿検知センサーＤＳ２が設けられる。
【００３３】
たとえば、原稿検知センサーＤＳ２は、原稿排出トレイ２２の上面（原稿が排出される面）側から上方に向けて光を発光する発光部、および、反射光を受光する受光部を有する光センサーである。この光センサーを用いた原稿検知センサーＤＳ２は、原稿排出トレイ２２に原稿が有るときには、発光部からの光が原稿によって反射されるので、その反射光を受光部が受光する。一方で、原稿排出トレイ２２に原稿が無いときには、発光部からの光は反射されない（受光部は反射光を受光しない）。したがって、原稿排出トレイ２２に原稿が有るときと無いときとで原稿検知センサーＤＳ２の出力値が変化する。
【００３４】
あるいは、原稿検知センサーＤＳ２として、発光部と受光部との間を移動する検知片（図示せず）を検知対象とする光センサーを用いてもよい。たとえば、検知片は、原稿排出トレイ２２に原稿が排出されたとき（原稿が有るとき）、原稿に当接することによって回動し、発光部と受光部との間の光路を遮断（または、開放）する。一方で、検知片は、原稿排出トレイ２２から原稿が取り出されたとき（原稿が無いとき）、原稿との当接が解除されることによって元の位置に戻り、発光部と受光部との間の光路を開放（または、遮断）する。したがって、この光センサーを用いた場合にも、原稿排出トレイ２２に原稿が有るときと無いときとで原稿検知センサーＤＳ２の出力値が変化する。
【００３５】
また、複合機１００は、印刷部３を備える。印刷部３は、給紙部４、用紙搬送部５、画像形成部６および定着部７を含む。そして、印刷部３は、用紙搬送路３０に沿って用紙を搬送するとともに、搬送中の用紙に画像を印刷する。
【００３６】
給紙部４は、ピックアップローラー４１および給紙ローラー対４２を含み、用紙カセット３１に収容された用紙を用紙搬送路３０に供給する。用紙搬送部５は、複数の搬送ローラー対５１を含み、用紙搬送路３０に沿って用紙を搬送する。
【００３７】
画像形成部６は、感光体ドラム６１、帯電装置６２、露光装置６３、現像装置６４、転写ローラー６５およびクリーニング装置６６を含む。そして、画像形成部６は、画像データに基づきトナー像を形成し、そのトナー像を用紙に転写する。定着部７は、加熱ローラー７１および加圧ローラー７２を含み、用紙に転写されたトナー像を加熱および加圧して定着させる。定着部７を抜けた印刷済み用紙は、用紙搬送路３０に沿って搬送され、最終的に用紙排出トレイ３２に排出される。
【００３８】
なお、複合機１００には、操作パネル８が設けられる。操作パネル８は、タッチパネルディスプレイ８１を含む。タッチパネルディスプレイ８１は、ソフトキーやメッセージなどを表示し、複合機１００に関する各種設定を行うための操作（ソフトキーに対するタッチ操作）を受け付ける。さらに、操作パネル８は、スタートキーやテンキーなどのハードキー８２も含む。
【００３９】
また、図４に示すように、複合機１００は、複合機制御部１１０を備える。この複合機制御部１１０には、複合機記憶部１２０が接続される。複合機記憶部１２０は、制御用のプログラムおよびデータを記憶する。そして、複合機記憶部１２０に記憶された制御用のプログラムおよびデータに基づき、複合機制御部１１０は、画像読取部１（原稿搬送ユニット２）の読取動作や印刷部３の印刷動作を制御する。さらに、複合機制御部１１０は、操作パネル８の表示動作を制御するとともに、操作パネル８に対して行われた操作を検知する。
【００４０】
また、複合機制御部１１０には、画像処理部１３０が接続される。この画像処理部１３０は、画像読取部１による原稿の読み取りによって得られた画像データに対して、拡大／縮小、濃度変換およびデータ形式変換など各種画像処理を施す。また、画像処理部１３０は、画像読取部１による原稿の読み取りによって得られた画像データに含まれる文字や文字列を認識する処理である文字認識処理を行う。この構成では、画像処理部１３０が「文字認識部」に相当する。なお、画像処理部１３０による文字認識処理では、たとえば、ＯＣＲ（Ｏｐｔｉｃａｌ  Ｃｈａｒａｃｔｅｒ  Ｒｅａｄｅｒ）技術が用いられる。
【００４１】
画像処理部１３０に文字認識処理を行わせるため、たとえば、パターンマッチング用の文字パターン（標準パターン）を格納する文字データベースが複合機記憶部１２０に記憶される。そして、画像処理部１３０は、文字認識処理を行うとき、文字認識処理の対象となる画像データから文字画像を抽出する。このとき、画像処理部１３０は、画像データに対してレイアウト解析などを行って文字領域を特定し、文字領域から１文字ずつ文字画像を切り出す（抽出する）。その後、画像処理部１３０は、文字データベースに格納された文字パターンと抽出文字画像とを比較する処理（マッチング処理）を行い、その比較結果に基づき文字を認識する。
【００４２】
また、複合機制御部１１０には、複合機通信部１４０が接続される。複合機通信部１４０は、ネットワーク通信部１４１と近距離無線通信部１４２とを含む。ネットワーク通信部１４１は、ルーターなどのネットワーク機器に接続され、外部ネットワークにアクセスする。そして、複合機制御部１１０は、ネットワーク通信部１４１を介して、たとえば、モバイル端末２００との間で外部ネットワークを利用した通信を行う。
【００４３】
近距離無線通信部１４２は、Ｂｌｕｅｔｏｏｔｈ（登録商標）などの近距離無線通信規格に従って通信するためのものである。そして、複合機制御部１１０は、近距離無線通信部１４２を介して、たとえば、モバイル端末２００との間で近距離無線通信を行う。
【００４４】
ここで、原稿の読み取りを伴うジョブ（スキャンジョブやコピージョブ）では、そのジョブの実行を要求した実行要求元ユーザーによって、読取対象の原稿が複合機１００にセットされる。載置読取では、読取台１０（コンタクトガラス１ａ）上に読取対象の原稿が載置され、搬送読取では、原稿搬送ユニット２の原稿セットトレイ２１上に読取対象の原稿が載置される。
【００４５】
そして、通常では、ジョブが完了すると、画像読取部１による読み取りが終わった読取済原稿は実行要求元ユーザーによって回収される。なお、載置読取では、読取台１０（コンタクトガラス１ａ）上に読取済原稿が載置されたままとなっているので、原稿搬送ユニット２が開けられ、読取台１０上から読取済原稿が回収される。搬送読取では、原稿搬送ユニット２の原稿排出トレイ２２上に読取済原稿が排出されるので、原稿搬送ユニット２は開けられず、原稿排出トレイ２２上から読取済原稿が回収される。
【００４６】
しかし、ユーザーによっては、読取済原稿を回収し忘れる場合がある。すなわち、読取済原稿の置き忘れが発生する場合がある。そこで、複合機制御部１１０は、読取済原稿の置き忘れが発生したか否か（読取済原稿が回収されたか否か）の判断を行う。そして、複合機制御部１１０は、読取済原稿の置き忘れが発生したと判断すると、その旨を実行要求元ユーザーに対して報知するための処理を行う（詳細は後述する）。
【００４７】
読取済原稿の置き忘れが発生したか否か（読取済原稿が回収されたか否か）の判断を複合機制御部１１０に行わせるため、複合機制御部１１０には、開閉検知センサーＤＳ１および原稿検知センサーＤＳ２がそれぞれ接続される。
【００４８】
載置読取を伴うジョブを実行した場合、複合機制御部１１０は、開閉検知センサーＤＳ１の出力値に基づき、原稿搬送ユニット２の開閉状態の検知を行う。そして、複合機制御部１１０は、ジョブの完了から、原稿搬送ユニット２の閉を検知したまま（原稿搬送ユニット２の開を検知することなく）、所定時間が経過したとき、読取済原稿の置き忘れが発生したと判断する。すなわち、複合機制御部１１０は、読取済原稿が回収されていない（複合機１００に読取済原稿が残っている）と判断する。
【００４９】
なお、読取台１０（コンタクトガラス１ａ）上における読取済原稿の有無を検知するためのセンサーを別途設け、そのセンサーの出力値に基づき、読取済原稿の置き忘れが発生したか否かを複合機制御部１１０が判断するよう構成してもよい。あるいは、読取済原稿の有無を検知するためのセンサーとしてイメージセンサー１３を用いることができる。この場合、たとえば、複合機制御部１１０は、ジョブが完了して以降、予め定められたライン数分の読み取りをイメージセンサー１３に周期的に行わせ、所定時間が経過するまでの間に読取済原稿の無しを検知しなかったとき、読取済原稿の置き忘れが発生したと判断する。
【００５０】
搬送読取を伴うジョブを実行した場合、複合機制御部１１０は、原稿検知センサーＤＳ２の出力値に基づき、原稿排出トレイ２２上における原稿の有無検知を行う。そして、複合機制御部１１０は、ジョブの完了から、原稿排出トレイ２２上に原稿が有ることを検知したまま（原稿排出トレイ２２上から原稿が無くなったことを検知することなく）、所定時間が経過したとき、読取済原稿の置き忘れが発生したと判断する。すなわち、複合機制御部１１０は、読取済原稿が回収されていない（複合機１００に読取済原稿が残っている）と判断する。
【００５１】
なお、所定時間の長さは特に限定されず、任意に変更可能である。たとえば、所定時間は、十数秒から数十秒に設定される。
【００５２】
次に、図４を参照し、モバイル端末２００および車載装置３００の各構成について説明する。
【００５３】
モバイル端末２００は、端末制御部２１０、端末操作表示部２２０、端末記憶部２３０よび端末通信部２４０を備える。
【００５４】
端末制御部２１０は、モバイル端末２００の全体的な制御を行う。端末操作表示部２２０は、タッチパネルディスプレイであり、各種画面を表示するとともに、各種設定を受け付ける。なお、各種設定を受け付けるためのハードキーが設けられてもよい。たとえば、端末制御部２１０は、端末操作表示部２２０に対する操作を検知し、その検知結果に基づき、表示画面の切り替えを端末操作表示部２２０に行わせる。
【００５５】
端末記憶部２３０は、モバイル端末２００を制御するためのプログラムやデータを記憶する。なお、端末記憶部２３０は、自機のＩＤやアドレスなども記憶する。
【００５６】
端末通信部２４０は、外部ネットワークを利用した通信を行うためのネットワーク通信部２４１と、近距離無線通信を行うための近距離無線通信部２４２とを含む。ネットワーク通信部２４１は、外部ネットワークを介して、複合機１００との間で通信を行う。近距離無線通信部２４２は、複合機１００や車載装置３００との間で近距離無線通信を行う。
【００５７】
また、カーナビゲーション装置３００は、制御部３１０、ＧＰＳ受信部３２０、操作表示部３３０（「表示部」に相当）、音出力部３４０、記憶部３５０および通信部３６０を備える。
【００５８】
制御部３１０は、カーナビゲーション装置３００の全体的な制御を行う。ＧＰＳ受信部３２０は、ＧＰＳ信号を受信する。そして、制御部３１０は、ＧＰＳ信号に基づき、現在位置を測位する。
【００５９】
操作表示部３３０は、タッチパネルディスプレイであって、各種画面を表示するとともに、各種設定を受け付ける。たとえば、操作表示部３３０は、現在位置を示すアイコンを配した地図を表示するとともに、ルート検索に必要な目的地の設定を受け付ける。音出力部３４０は、スピーカーなどを含み、音声ガイダンスを出力する。
【００６０】
記憶部３５０は、カーナビゲーション装置３００を制御するためのプログラムやデータを記憶する。たとえば、記憶部３５０は、操作表示部３３０に地図を表示するための地図データや、音出力部３４０から音を出力するための音データを記憶する。
【００６１】
通信部３６０は、近距離無線通信を行うためのものである。この通信部３６０は、モバイル端末２００との間で近距離無線通信を行う。
【００６２】
ここで、カーナビゲーション装置３００は、車両３０００の全体の電源を一括してオンオフするメインスイッチがオンすることで電力が供給され、起動する。なお、メインスイッチは、車両３０００のエンジンが始動していなくてもオンさせることができるが、車両３０００のエンジンが始動したときには必ずオンする。
【００６３】
そして、カーナビゲーション装置３００が起動すると、カーナビゲーション装置３００とモバイル端末２００との間の通信が可能となる。すなわち、モバイル端末２００を所有するユーザーが車両３０００に乗り込み、車両３０００のエンジンを始動させることにより、カーナビゲーション装置３００とモバイル端末２００との間の通信が可能となる。たとえば、カーナビゲーション装置３００とモバイル端末２００との間の通信は自動的に開始される。
【００６４】
＜置き忘れ報知＞
本実施形態の報知システムＳでは、原稿の読み取りを伴うジョブの完了後、複合機１００に読取済原稿を置き忘れた場合、読取済原稿を置き忘れている旨の報知（置き忘れ報知）を受けることができる。言い換えると、実行要求元ユーザーに対して、置き忘れ報知サービスが提供される。ただし、置き忘れ報知サービスを受けるには、原稿の読み取りを伴うジョブの実行に際して、実行要求元ユーザーが所有するモバイル端末２００の端末アドレスを複合機１００に認識させておく必要がある。
【００６５】
たとえば、複合機１００（近距離無線通信部１４２）とモバイル端末２００との間で近距離無線通信を行い、モバイル端末２００から複合機１００に対して端末アドレスを送信すると、その端末アドレスが複合機制御部１１０によって認識される。あるいは、複合機１００（操作パネル８）に対して端末アドレスを手動入力すると、その端末アドレスが複合機制御部１１０によって認識される。
【００６６】
また、別の形態として、置き忘れ報知サービスを受けるための専用アプリケーション（以下、報知アプリと称する）がサービス提供者側から実行要求元ユーザーに対して予め提供されてもよい。たとえば、モバイル端末２００に報知アプリをインストールし、その報知アプリを立ち上げておけば、モバイル端末２００を持って複合機１００に近づいたときに、複合機１００（近距離無線通信部１４２）とモバイル端末２００との間での近距離無線通信が開始され、モバイル端末２００から複合機１００に対して端末アドレスが自動的に送信される。
【００６７】
複合機１００の複合機制御部１１０は、端末アドレスを認識すると、その端末アドレスを報知対象アドレス（緊急連絡先）として設定する。この報知対象アドレスは、複合機記憶部１２０に記憶される。
【００６８】
そして、複合機１００の複合機制御部１１０は、報知対象アドレスを設定した状態で実行したジョブ（原稿の読み取りを伴うジョブ）の完了後、読取済原稿の置き忘れが発生したことを検知しなければ、報知対象アドレスの設定を解除する（報知対象アドレスが複合機記憶部１２０から消去される）。すなわち、原稿の読み取りを伴うジョブの完了後、所定時間内に読取済原稿を回収すれば、置き忘れ報知は行われない。
【００６９】
一方で、複合機制御部１１０は、報知対象アドレスを設定した状態で実行したジョブ（原稿の読み取りを伴うジョブ）の完了後、読取済原稿の置き忘れが発生したことを検知すれば、複合機通信部１４０を介して、実行要求元ユーザーのモバイル端末２００へ置き忘れ通知を送信する。すなわち、複合機通信部１４０は、報知対象アドレスへ置き忘れ通知を送信する。
【００７０】
なお、原稿の読み取りを伴うジョブの実行に際して、複合機１００に端末アドレスを認識させておかなくても、ジョブの実行は可能である。しかし、この場合には、複合機１００に読取済原稿を置き忘れても、実行要求元ユーザーのモバイル端末２００へは置き忘れ通知が送信されない。
【００７１】
ここで、複合機１００の複合機制御部１１０は、読取済原稿に個人情報が含まれているか否かの判断を行う。そして、複合機制御部１１０は、実行要求元ユーザーのモバイル端末２００へ置き忘れ通知を送信するとき、読取済原稿に個人情報が含まれているか否かの判断結果を示す情報（判断結果情報）を置き忘れ通知に付加する。
【００７２】
たとえば、複合機１００には、身分証明書カードのようなカード原稿を読み取るカードスキャンモードが搭載される。カードスキャンモードでは、免許証や保険証、キャッシュカードおよびクレジットカードなど、個人情報が表記されたカード原稿が読取対象とされることが多い。そこで、複合機１００の複合機制御部１１０は、画像読取部１による原稿の読み取りをカードスキャンモードで行った場合、読取済原稿に個人情報が含まれていると判断する。これにより、容易に、読取済原稿に個人情報が含まれているか否かを判断することができる。
【００７３】
あるいは、複合機１００の複合機制御部１１０は、画像読取部１による原稿の読み取り後、画像処理部１３０に文字認識処理を行わせる。そして、複合機制御部１１０は、画像処理部１３０が予め定められた文字列と同じ文字列を認識した場合に、読取済原稿に個人情報が含まれていると判断する。たとえば、前述の予め定められた文字列としては、特に限定されないが、「名前」、「氏名」、「郵便番号」、「住所」、「連絡先」、「電話番号」、「会社名」および「部署名」など、個人情報の項目名として一般的に使用されるものである。これにより、容易に、読取済原稿に個人情報が含まれているか否かを判断することができる。
【００７４】
実行要求元ユーザーのモバイル端末２００は、複合機１００から置き忘れ通知（判断結果情報を含む）を受信すると、報知メッセージを表示したり、警告音を出力したりすることにより、置き忘れ通知を受信した旨を実行要求元ユーザーに報知する（置き忘れ報知を行う）。たとえば、モバイル端末２００は、置き忘れ通知に付加された判断結果情報を確認する。そして、読取済原稿に個人情報が含まれている場合には、置き忘れ原稿に個人情報が含まれている旨のメッセージを表示してもよい。あるいは、読取済原稿に個人情報が含まれている場合には、読取済原稿に個人情報が含まれていない場合と異なる警告音を出力してもよい。
【００７５】
以下に、図５に示すフローチャートを参照し、複合機１００からモバイル端末２００へ置き忘れ通知を送信するときの処理の流れについて説明する。図５に示すフローチャートのスタートは、原稿の読み取りを伴うジョブが開始されたときである。なお、以下の説明では、実行要求元ユーザーのモバイル端末２００の端末アドレスが複合機１００にて認識されているものとする（報知対象アドレスが複合機記憶部１２０に記憶されている）。
【００７６】
ステップＳ１において、複合機１００の複合機制御部１１０は、ジョブが完了したか否かを判断する。その結果、ジョブが完了したと複合機制御部１１０が判断した場合には、ステップＳ２に移行し、ジョブが完了していないと複合機制御部１１０が判断した場合には、ステップＳ１の判断が繰り返される。
【００７７】
ステップＳ２に移行すると、複合機制御部１１０は、読取済原稿が回収されたか否かを判断する。その結果、読取済原稿が回収されていないと複合機制御部１１０が判断した場合には、ステップＳ３に移行する。
【００７８】
ステップＳ３に移行すると、複合機制御部１１０は、ジョブの完了から所定時間が経過したか否かを判断する。その結果、所定時間が経過していないと複合機制御部１１０が判断した場合には、ステップＳ２に戻り、複合機制御部１１０は、読取済原稿が回収されたか否かの判断を繰り返す。そして、ジョブの完了から所定時間が経過するまでの間に、読取済原稿が回収されたと複合機制御部１１０が判断した場合には、本フローは終了する。すなわち、この場合には、読取済原稿の置き忘れが発生した旨の報知は行われない。
【００７９】
ステップＳ３において、ジョブの完了から所定時間が経過したと複合機制御部１１０が判断した場合には、ステップＳ４に移行する。すなわち、ジョブの完了から所定時間が経過するまでの間に、読取済原稿が回収されなかったと複合機制御部１１０が判断した場合に、ステップＳ４に移行する。なお、ステップＳ４に移行した場合というのは、複合機１００に読取済原稿が残っているということであり、読取済原稿の置き忘れが発生しているということである。
【００８０】
ステップＳ４に移行すると、複合機制御部１１０は、複合機通信部１４０に指示し、実行要求元ユーザーのモバイル端末２００のアドレス（報知対象アドレス）へ置き忘れ通知を送信させる。
【００８１】
置き忘れ通知を受信したモバイル端末２００は、読取済原稿を置き忘れている旨の報知（置き忘れ報知）を行う。すなわち、複合機制御部１１０は、モバイル端末２００に置き忘れ報知を行わせる。たとえば、モバイル端末２００は、置き忘れ報知として、報知メッセージを表示したり、警告音を発したりする。
【００８２】
このような置き忘れ報知をモバイル端末２００にて行うことにより、読取済原稿を置き忘れている旨を実行要求元ユーザーに認識させることができる。たとえば、実行要求元ユーザーが置き忘れ報知に気付けば、実行要求元ユーザーにより読取済原稿が回収される。なお、読取済原稿の回収後、モバイル端末２００に対して予め定められた報知停止操作（報知を停止させるための操作）を行えば、後述するカーナビゲーション装置３００による報知は行われなくなる。
【００８３】
しかし、場合によっては、モバイル端末２００が警告音を発したり報知メッセージを表示したりしても、実行要求元ユーザーが気付かないことがある（モバイル端末２００に対して報知停止操作が行われない）。
【００８４】
そこで、本実施形態の報知システムＳでは、モバイル端末２００に対して報知停止操作が行われなかった場合、実行要求元ユーザーの車両３０００に搭載されたカーナビゲーション装置３００にも、置き忘れ報知を行わせる。以下に、図６に示すフローチャートを参照して、モバイル端末２００からカーナビゲーション装置３００へ報知命令を送信するときの処理の流れについて説明する。
【００８５】
図６に示すフローチャートのスタート時点では、実行要求元ユーザーのモバイル端末２００が置き忘れ通知を受けているとする。そして、実行要求元ユーザーのモバイル端末２００が置き忘れ通知を受けて以降、実行要求元ユーザーが自身の車両３０００に戻り、その車両３０００に搭載されたカーナビゲーション３００を起動したとき、図６に示すフーチャートがスタートする。
【００８６】
ステップＳ１１において、モバイル端末２００の端末制御部２１０は、カーナビゲーション装置３００との通信が可能となったか否かを判断する。その結果、カーナビゲーション装置３００と通信できると端末制御部２１０が判断した場合には、ステップＳ１２に移行し、カーナビゲーション装置３００と通信できないと端末制御部２１０が判断した場合には、ステップＳ１１の判断が繰り返される。
【００８７】
ステップＳ１２に移行すると、端末制御部２１０は、端末通信部２４０を介して、カーナビゲーション装置３００へ報知命令を送信する。このとき、端末制御部２１０は、判断結果情報（読取済原稿に個人情報が含まれているか否かの判断結果を示す情報）を報知命令に付加する。なお、報知命令というのは、実行要求元ユーザーに対する置き忘れ報知（読取済原稿を置き忘れている旨の報知）をカーナビゲーション装置３００に行わせるための命令である。
【００８８】
そして、ステップＳ１３において、カーナビゲーション装置３００は、読取済原稿を置き忘れている旨の報知を行う。すなわち、端末制御部２１０は、カーナビゲーション装置３００に置き忘れ報知を行わせる。たとえば、カーナビゲーション装置３００は、報知画面４００（図７および図８参照）を表示する。
【００８９】
ここで、カーナビゲーション装置３００は、モバイル端末２００から報知命令を受けると、報知命令に付加された判断結果情報（読取済原稿に個人情報が含まれているか否かの判断結果を示す情報）を確認する。そして、カーナビゲーション装置３００は、読取済原稿に個人情報が含まれている場合と含まれていない場合とで、報知画面４００に配する報知メッセージ（「報知画像」に相当）を異ならせる。
【００９０】
たとえば、読取済原稿に個人情報が含まれている場合、カーナビゲーション装置３００は、図７に示すような報知メッセージＭ１を配した報知画面４１０を表示する。報知画面４１０には、報知メッセージＭ１として、読取済原稿を置き忘れている旨のメッセージ、読取済原稿に個人情報が含まれている旨のメッセージ、および、読取済原稿を至急回収するよう促すメッセージなどが配される。
【００９１】
読取済原稿に個人情報が含まれていない場合、カーナビゲーション装置３００は、図８に示すような報知メッセージＭ２を配した報知画面４２０を表示する。報知画面４２０には、報知メッセージＭ２として、読取済原稿を置き忘れている旨のメッセージや、読取済原稿を回収するよう促すメッセージなどが配される。
【００９２】
また、カーナビゲーション装置３００は、警告音を出力することにより、読取済原稿の置き忘れを報知する。たとえば、カーナビゲーション装置３００は、読取済原稿に個人情報が含まれている場合と含まれていない場合とで、警告音を異ならせる。特に限定されないが、警告音の音量や音色を変えることができる。
【００９３】
上記のように、本実施形態の報知システムＳは、原稿の読み取りを伴うジョブを実行する複合機１００（画像形成装置）と、ジョブの実行要求元となり得るユーザーにより所有され、複合機１００と通信するモバイル端末２００と、ジョブの実行要求元となり得るユーザーの車両３０００に搭載され、モバイル端末２００との通信が可能なカーナビゲーション装置３００（車載装置）と、を備える。複合機１００は、ジョブの実行を要求した実行要求元ユーザーが所有するモバイル端末２００のアドレスを認識し、実行要求元ユーザーが実行要求したジョブの完了から、読み取った原稿が回収されることなく、所定時間が経過したとき、原稿の置き忘れが発生していることを示す置き忘れ通知を実行要求元ユーザーのモバイル端末２００へ送信する。実行要求元のモバイル端末２００は、置き忘れ通知を受信した場合、カーナビゲーション装置３００との通信が可能となったときに、カーナビゲーション装置３００へ報知命令を送信する。カーナビゲーション装置３００は、報知命令を受信すると、複合機１００に原稿を置き忘れている旨を報知する。
【００９４】
本実施形態の構成では、実行要求元ユーザーが複合機１００に原稿を置き忘れた場合、実行要求元ユーザーが所有するモバイル端末２００とカーナビゲーション装置３００とが通信可能になると、実行要求元ユーザーのモバイル端末２００からカーナビゲーション装置３００へ報知命令が送信される。そして、カーナビゲーション装置３００から実行要求元ユーザーに対して、複合機１００に原稿を置き忘れている旨の報知がなされる。これにより、コンビニエンスストアやスーパーマーケットなどの商業施設に設置された複合機１００に原稿を置き忘れても、実行要求元ユーザーが車両３０００を使って商業施設から立ち去る前に、確実に、複合機１００に原稿を置き忘れていることを実行要求元ユーザーに気付かせることができる。これにより、複合機１００に置き忘れた原稿を回収するのにあたって商業施設まで戻らなければならない、という不都合が発生するのを抑制することができるので、実行要求元ユーザーの利便性が向上する。
【００９５】
また、実行要求元ユーザーが商業施設から立ち去る前に原稿の置き忘れを実行要求元ユーザーに気付かせることができれば、複合機１００に置き忘れた原稿が長時間にわたって放置されるのを抑制することができる。これにより、複合機１００に置き忘れた原稿を第３者に見られてしまうのを抑制することができるので、情報漏洩の危険性が低減する。
【００９６】
ここで、複合機１００に置き忘れた原稿に個人情報が含まれている場合には、個人情報が第３者に漏洩する恐れがあるので、複合機１００に置き忘れた原稿を速やかに回収しなければならない。そこで、本実施形態の報知システムＳでは、読み取った原稿に個人情報が含まれている場合と含まれていない場合とで、複合機１００に原稿を置き忘れている旨を報知するときの報知形態を異ならせる。なお、本実施形態の報知システムＳでは、カーナビゲーション装置３００に表示する報知メッセージを異ならせたり、カーナビゲーション装置３００から出力する警告音を異ならせたりする。これにより、容易に、複合機１００に置き忘れた原稿に個人情報が含まれているか否かを実行要求元ユーザーに認識させることができる。すなわち、複合機１００に置き忘れた原稿に個人情報が含まれている場合には、速やかに、複合機１００に置き忘れた原稿の回収を実行要求元ユーザーに行わせることができる。
【００９７】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００９８】
１００  複合機（画像形成装置）
１３０  画像処理部（文字認識部）
２００  モバイル端末
３００  カーナビゲーション装置（車載装置）
３３０  操作表示部（表示部）
３４０  音出力部
【図１】
2017038267.tif 000003
【図２】
2017038267.tif 000004
【図３】
2017038267.tif 000005
【図４】
2017038267.tif 000006
【図５】
2017038267.tif 000007
【図６】
2017038267.tif 000008
【図７】
2017038267.tif 000009
【図８】
2017038267.tif 000010